(57)【要約】【課題】低コスト、低重量でリサイクル性に優れるとともに、筐体自体の強度を高める。【解決手段】筐体１１は樹脂から構成され、左フレーム４１、右フレーム４２、上フレーム４３、下フレーム４４が組み付けられる。各フレーム４１〜４４は板金で形成される。ビス締め孔６１とビス締め孔５３とをビス６６によりビス締め固定する。ビス締め孔７１とビス締め孔５３とをビス締め固定する。上面ビス締め孔８１とビス締め孔５７とをビス締め固定する。左側面ビス締め孔８２と最上部のビス締め孔５３とを、ビス締め孔６１を介してビス締め固定する。右側面ビス締め孔８３と最上部のビス締め孔５３とを、ビス締め孔７１を介してビス締め固定する。下フレーム４４の最左部のビス締め孔７６を係合孔６５を介して、最右部のビス締め孔７６を係合孔７５を介して、それぞれビス締め固定する。【選択図】図５
2008068134.tif 000002
【特許請求の範囲】
【請求項１】
遊技の際に駆動される駆動装置と、この駆動装置を駆動制御するための制御回路装置と、これら駆動装置と制御回路装置とを内部に収容する筐体とを有する遊技機において、
前記筐体は、６面体のうち遊技者と対面する側が開口されて構成されており、前記遊技者と対面する側を除く５面のうち少なくとも４面を構成する４壁部が樹脂性材料により一体的に成形され、
前記４壁部のうち少なくとも１壁部に、前記筐体の剛性を高めるための筐体補強部材を取り付けたことを特徴とする遊技機。
【発明の詳細な説明】
【技術分野】
【０００１】
本発明は、パチンコ店などの遊技場に設置して使用される遊技機に関するものである。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、その筐体内部に、所定の識別情報（図柄）を変動表示し得る複数のリールが一体化されたリールユニットと、複数のリールを駆動制御する制御回路装置とを備えるものがあり、このような遊技機では、リールがステッピングモータで駆動される構造となっている。そして、制御回路装置により、乱数値のサンプリングによる電子抽選が行われて当選役の種類又はハズレが決定されるとともに、この抽選結果に応じてリールの停止制御が行われる。
【０００３】
遊技機は、筐体内部に、遊技媒体の供給に基づいて作動させる各種駆動装置及びこれら駆動装置を制御させるために対応させた制御回路装置を備えており、遊技者が遊技を行う際にこれらを適宜作動させることによって遊技を興趣に溢れたものとしており、演出効果として、ランプ装置や音声発生装置から光や音声を発することが主流となっている。そのため、遊技機は、筐体内部に多くの駆動装置及び制御回路装置を備えることとなり、筐体自体の強度確保及び筐体内部での電気的ノイズ（静電ノイズ・電波ノイズ）対策、振動（共振）対策として、筐体をＭＤＦ（Ｍｅｄｉｕｍ  Ｄｅｎｓｉｔｙ  Ｆｉｒｅｂｏａｒｄ：中質繊維板）等から構成している。しかしながら、このＭＤＦは、木材繊維に接着剤を添加して成型熱圧した板であり、コストが高いとともに、その重量が重くなり、さらには、リサイクル性が悪かった。このため、筐体を低コスト、低重量でリサイクル性の優れた樹脂から形成することが現在検討されている。
【発明の開示】
【発明が解決しようとする課題】
【０００４】
しかしながら、筐体を樹脂から形成すると、筐体自体の強度が低下してしまう。強度対策として厚みの厚い形状の樹脂性の筐体を成形すると、樹脂の金型（射出）成形では、ヒケ等による壁面の反りや成形不良が発生してしまい、所望する形状のものを得ることができないという問題があった。
【０００５】
本発明は、上記従来技術の問題を解決するためになされたものであり、筐体を樹脂から形成し、低コスト、低重量でリサイクル性に優れるとともに、筐体自体の強度を高めることができる遊技機を提供することを目的とする。
【課題を解決するための手段】
【０００６】
上記目的を達成するために、本発明の遊技機は、遊技の際に駆動される駆動装置と、この駆動装置を駆動制御するための制御回路装置と、これら駆動装置と制御回路装置とを内部に収容する筐体とを有する遊技機において、前記筐体は、６面体のうち遊技者と対面する側が開口されて構成されており、前記遊技者と対面する側を除く５面のうち少なくとも４面を構成する４壁部が樹脂性材料により一体的に成形され、前記４壁部のうち少なくとも１壁部に、前記筐体の剛性を高めるための筐体補強部材を取り付けたことを特徴とする。
【発明の効果】
【０００７】
本発明の遊技機によれば、駆動装置と制御回路装置とを内部に収容する筐体を、６面体のうち遊技者と対面する側が開口されて構成されており、遊技者と対面する側を除く５面のうち少なくとも４面を構成する４壁部が樹脂性材料により一体的に成形され、４壁部のうち少なくとも１壁部に、筐体の剛性を高めるための筐体補強部材を取り付けたから、低コスト、低重量でリサイクル性に優れるとともに、筐体自体の強度を高めることができる。
【発明を実施するための最良の形態】
【０００８】
以下、本明細書中ではパチスロ機を例に挙げて説明しているため、遊技媒体としてメダルを用いて説明するが、遊技媒体としてはコインやパチンコ玉など他の媒体も含む。また、本明細書中で用いる「メダル（遊技媒体）の投入」には、実際にメダル投入口にメダルを投入することの他に、クレジットされたメダルをベットボタンなどによりベットすることを含む。さらに、当選絵柄を入賞有効ライン上に揃えた状態を入賞、入賞となる前の状態で、電子抽選により当選役が当選されている状態を内部入賞とする。
【０００９】
図１に示すように、スロットマシン１０は、筐体１１の前面扉１２に３個の表示窓１３が設けられており、各々の表示窓１３の奥に位置するように第１リール１４ａ、第２リール１４ｂ、第３リール１４ｃが回転自在に組み込まれている。周知のように、第１〜第３リール１４ａ〜１４ｃの外周には複数種類の当選絵柄が一定ピッチで配列され、リールが停止した状態では表示窓１３を通して１リール当たり３個の絵柄が観察可能になる。これにより、各リールの絵柄を一個ずつ組み合わせた直線状の入賞有効ラインが横３本斜め２本の合計５本が設定される。
【００１０】
ゲームの開始に先立ってメダル投入口１６から１枚のメダルを投入したときには中央横一本の入賞有効ラインが有効化され、２枚では横３本、３枚ではさらに斜め２本を加えた５本の入賞有効ラインが有効化される。また、メダルは５０枚を限度にクレジット（貯留）することが可能になっている。なお、表示窓１３から１リール当たり例えば４個ずつの絵柄を観察できるようにしておき、横４本の入賞有効ラインのほかに、各リールごとに絵柄を一個ずつ組み合わせるように折れ曲がった別の入賞有効ラインを設定することも可能である。なお、サブリールを設け、このサブリールで特定の当選役に当選したことを示したり、特定の当選役に当選したか否かの期待度を示す絵柄を描くなど適宜の絵柄を描いて適宜報知を行うようにしてもよい。
【００１１】
ストップボタン１８ａ〜１８ｃは、これらを操作することにより、各ボタンに対応した第１〜第３リール１４ａ〜１４ｃが個別に停止される。ストップボタン１８ａ〜１８ｃの上方の操作パネルには、メダルがクレジットされた状態でゲームを行うときに操作される１ベットボタン、ＭＡＸベットボタン、ペイアウトボタンなどの各種の操作ボタンが設けられている。これらの操作ボタンの機能はいずれも周知であるのでその詳細については省略する。
【００１２】
筐体１１の下部にはメダル受け皿１９が設けられており、このメダル受け皿１９には、ゲームで入賞が得られたときに得られる配当メダルが払い出し口２０から払い出される。
【００１３】
前面扉１２は、上扉１２ａと下扉１２ｂとから構成されている。上扉１２ａ及び下扉１２ｂはそれぞれヒンジ（図示せず）により取り付けられ、それぞれ図中矢印の方向に回動させることができるようになっている。上扉１２ａには情報表示手段である液晶パネル２２が設けられている。液晶パネル２２では、例えばＢＢ、ＲＢ、小役などが入賞された際の配当メダルの枚数を表示する配当メダル枚数表示部２２ａ、クレジット枚数表示部２２ｂ、ＢＢモードやＲＢモードで行われたゲーム数を表示するゲーム数表示部２２ｃ、メダルの払い出し枚数を表示する払い出し枚数表示部２２ｄなどが設けられ、スロットマシン１０の機種ごとに応じた情報が表示される。
【００１４】
図２に示すように、筐体１１内部には、リールユニット３０及び主制御部であるメイン基板３１が支持枠３２に取り付けられている。支持枠３２は筐体１１内部に着脱自在に取り付けられている。このため、リールユニット３０及びメイン基板３１は、支持枠３２とともに交換可能となっている。
【００１５】
リールユニット３０は、第１〜第３リール１４ａ〜１４ｃ、リール保持枠３３から構成されている。リール保持枠３３は前面側が開放されており、その内部には図示しないリール支持部材が設けられている。リール支持部材には第１〜第３リール１４ａ〜１４ｃが回動自在に取り付けられている。これにより、第１〜第３リール１４ａ〜１４ｃはリール保持枠３３と一体にされる。
【００１６】
メイン基板３１は、基板ケース３４に封入されて開放不能となっており、メイン基板３１に不正な改造を施すことが防止されている。基板ケース３４は、支持枠３２の背面側上部に取り付けられている。筐体１１内部には、スピーカ３６、電源ボックス３７等が取り付けられている。第１〜第３リール１４ａ〜１４ｃ、スピーカ３６等の各種駆動装置は、メイン基板３１により駆動制御される。
【００１７】
筐体１１は、非透光性の樹脂により６面体のうち遊技者と対面する前面を除く５面が一体成形された直方体形状となっており、筐体補強部材としての左フレーム４１、右フレーム４２、上フレーム４３、下フレーム４４が、上面、底面、左右両側面の４面で構成された４壁部にそれぞれ組み付けられている。筐体１１の略中央部には、支持枠３２の受け台としてのセンターベース４６が組み付けられている。筐体１１の樹脂の種類としては、ＡＢＳ、ポリカＡＢＳ等の汎用性のある材料が用いられる。各フレーム４１〜４４は、導電性の板金で形成されている。なお、各フレーム４１〜４４は、板金に限定されることなく、導電性で筐体の剛性を高めることができるものであればよく、適宜変更してもよい。
【００１８】
図３に示すように、筐体１１の上下、左右及び後の外壁面には、補強及び変形（反り）対策としての複数の補強リブ４８が形成されている。また、筐体１１の左右の壁面には、それぞれ把手４９が取り付けられている。
【００１９】
筐体１１の左内壁には、左フレーム４１位置決め用の位置決めリブ５１及び位置決めボス５２と、左フレーム４１を装着後にビス締め固定するためのビス締め孔５３とが設けられている。位置決めリブ５１とビス締め孔５３とは５個それぞれ設けられている。同様にして、筐体１１の右内壁には、右フレーム４２位置決め用の位置決めリブ５１及び位置決めボス５２と、右フレーム４２を装着後にビス締め固定するためのビス締め孔５３とが設けられている。
【００２０】
筐体１１の前面上部には上フレーム４３位置決め用の位置決め凹部５６が、上面には上フレーム４３を装着後にビス締め固定するためのビス締め孔５７がそれぞれ設けられている。ビス締め孔５７は３個設けられている。位置決め凹部５６は、上フレーム４３装着時のガイドとして、入口がテーパ状となっている。
【００２１】
筐体１１の下内壁には、下フレーム４４位置決め用の位置決めリブ５８と、下フレーム４４を装着後にビス締め固定するためのビス締め孔５９とが設けられている。位置決めリブ５８は２個、ビス締め孔５９は６個それぞれ設けられている。
【００２２】
図４及び図５に示すように、左フレーム４１には、ビス締め孔６１と、位置決め孔６２と、取り付け孔６３と、係合部６４とが設けられている。係合部６４には、係合孔６５が設けられている。ビス締め孔６１は、５個設けられている。位置決め孔６２に位置決めボス５２を挿入させるとともに、位置決めリブ５１により左フレーム４１を位置決めする。そして、ビス締め孔６１とビス締め孔５３とをビス６６によりビス締め固定する。これにより、左フレーム４１は、筐体１１に強固に取り付けられる。なお、５個のビス締め孔６１のうち、最上部に設けられたビス締め孔６１は、後述する上フレーム４３取り付け時に一緒にビス締めするため、左フレーム４１の取り付け時には、ビス締めを行わない。
【００２３】
右フレーム４２は、左フレーム４１と同様に、ビス締め孔７１と、位置決め孔７２と、取り付け孔７３と、係合部７４と、係合孔７５とが設けられ、ビス６６により筐体１１に強固に取り付けられている。なお、５個のビス締め孔７１のうち、最上部に設けられたビス締め孔７１は、後述する上フレーム４３取り付け時に一緒にビス締めするため、右フレーム４２の取り付け時には、ビス締めを行わない。
【００２４】
上フレーム４３には、上面ビス締め孔８１と、左側面ビス締め孔８２と、右側面ビス締め孔８３と、位置決め鍔部８４とが設けられている。上面ビス締め孔８１は３個、位置決め鍔部８４は２個それぞれ設けられている。位置決め鍔部８４を位置決め凹部５６に挿入し、上面ビス締め孔８１とビス締め孔５７とをビス６６によりビス締め固定する。そして、左側面ビス締め孔８２と、筐体１１の左内壁面に設けられたビス締め孔５３とを、左フレーム４１のビス締め孔６１を介してビス６６によりビス締め固定する。同様に、右側面ビス締め孔８３と、筐体１１の右内壁面に設けられたビス締め孔５３とを、右フレーム４２のビス締め孔７１を介してビス６６によりビス締め固定する。したがって、上フレーム４３は、左フレーム４１及び右フレーム４２を挟み込んだ状態で筐体１１に強固に取り付けられる。これにより、上フレーム４３と左側で隣り合う左フレーム４１との端部同士が係合され、同様に、上フレーム４３と右側で隣り合う右フレーム４２との端部同士が係合されることになる。
【００２５】
下フレーム４４には、ビス締め孔８６と、位置決め鍔部８７とが設けられている。ビス締め孔８６は６個設けられている。位置決め鍔部８７を位置決めリブ５８に挿入し、ビス締め孔８６とビス締め孔５９とを、ビス６６によりビス締め固定する。６個のビス締め孔８６のうち、最左部に設けられたビス締め孔８６は、左フレームの係合孔６５を介して、最右部に設けられたビス締め孔８６は、右フレームの係合孔７５を介して、それぞれビス６６によりビス締め固定される。したがって、下フレーム４４は、左フレーム４１及び右フレーム４２を挟み込んだ状態で筐体１１に強固に取り付けられる。これにより、下フレーム４４と左側で隣り合う左フレーム４１との端部同士が係合され、同様に、下フレーム４４と右側で隣り合う右フレーム４２との端部同士が係合されることになる。
【００２６】
センターベース４６には、ビス締め孔９１が左右に１個ずつの計２個設けられている。右フレーム４３と左フレーム４４とを筐体１１に取り付けた後に、ビス締め孔９１と取り付け孔６３，７３とをビス６６によりビス締め固定する。これにより、センターベース４６は、左フレーム４１と右フレーム４２とに取り付けられる。
【００２７】
このように、筐体１１を低コスト、低重量でリサイクル性に優れた樹脂から形成し、この樹脂製の筐体１１に導電性の板金から形成した各フレーム４１〜４４を取り付けることにより、筐体１１自体の強度を高めることができるとともに、筐体１１内部での電気的ノイズ（静電ノイズ・電波ノイズ）、振動（共振）を抑制することができる。さらに、上フレーム４３及び下フレーム４４を、それぞれ左フレーム４１及び右フレーム４２を挟み込んだ状態で筐体１１に取り付けるから、各フレーム４１〜４４が係合した状態となり、より一層強度アップ及び電気的ノイズ（静電ノイズ・電波ノイズ）、振動（共振）対策に効果的である。また、各フレーム４１〜４４を、ビス６６により筐体１１にビス締め固定したから、筐体１１の壁面の反りを矯正することができる。
【００２８】
なお、各ビス締め孔５３，５７，５９，６１，７１，８１，８２，８３，８６は上記した個数に限定されることなく、各フレーム４１〜４４を筐体１１に強固に取り付けることができれば適宜変更してもよい。また、各フレーム４１〜４４の筐体１１への取り付け方法も、上記したビス６６による取り付け以外にも、各フレーム４１〜４４を筐体１１に強固に取り付けることができるものであればよい。
【００２９】
また、上記実施形態では、各フレーム４１〜４４を筐体１１の内壁面に取り付けたが、外壁面に取り付けてもよい。
【００３０】
さらに、上記実施形態では、筐体１１は、樹脂により６面体のうち遊技者と対面する前面を除く５面を一体成形したが、これに限定されることなく、樹脂により６面体のうち遊技者と対面する前面を除く５面のうち少なくとも４面が一体成形されていればよく、例えば、後面を別部材にして筐体１１に取り付ける構成にしてもよい。そして、この樹脂により一体成形された４面を構成する４壁部に反って筐体補強部材を取り付ければ、上記したものと同様の効果を得ることができる。
【図面の簡単な説明】
【００３１】
【図１】本発明を用いたスロットマシンの外観図である。
【図２】上扉及び下扉を筐体から取り外した状態を示す斜視図である。
【図３】筐体を示す前面斜視図である。
【図４】左フレーム、右フレーム、上フレーム、下フレーム、センターベースを示す斜視図である。
【図５】左フレーム、右フレーム、上フレーム、下フレーム、センターベースを取り付けた後の筐体を示す前面斜視図である。
【符号の説明】
【００３２】
１０  スロットマシン
１１  筐体
１４ａ〜１４ｃ  第１〜第３リール
３１  メイン基板
３６  スピーカ
４１  左フレーム
４２  右フレーム
４３  上フレーム
４４  下フレーム
４６  センターベース
４８  補強リブ
５１  位置決めリブ
５２  位置決めボス
５３，５７，５９，６１，７１，８１，８２，８３，８６  ビス締め孔
５６  位置決め凹部
５８  位置決めリブ
６２，７２  位置決め孔
６３，７３  取り付け孔
６４，７４  係合部
６５，７５  係合孔
６６  ビス
【図１】
2008068134.tif 000003
【図２】
2008068134.tif 000004
【図３】
2008068134.tif 000005
【図４】
2008068134.tif 000006
【図５】
2008068134.tif 000007